(57)【要約】【課題】構造がシンプルでありながら、着脱性及び安全性に優れた偏心管カバー及びこれを備えた湯水混合水栓を提供すること。【解決手段】本発明の偏心管カバーは、中空で下方が開放された偏心管カバー１であって、前面壁４には下向きに開いたスナップフィット部５が設けられ、背面壁６には、横向きに突出するフック部７と、該背面壁６の下端かつ該フック部７の先側から該フック部７の上側まで延びる切り欠き部８とが設けられている。【選択図】図１
2019112838.tif 000002
【特許請求の範囲】
【請求項１】
中空で下方が開放された偏心管カバーであって、
前面壁には下向きに開いたスナップフィット部が設けられ、
背面壁には、横向きに突出するフック部と、該背面壁の下端かつ該フック部の先側から該フック部の上側まで延びる切り欠き部とが設けられていることを特徴とする偏心管カバー。
【請求項２】
請求項１に記載の偏心管カバーを具備した湯水混合水栓。
【発明の詳細な説明】
【技術分野】
【０００１】
本発明は、例えば、湯水混合水栓と一次側の供給配管とを繋ぐ偏心管を覆うための偏心管カバー及びこれを備えた湯水混合水栓に関する。
【背景技術】
【０００２】
湯水混合水栓とその一次側（上流側）の給湯配管とを繋ぐ偏心管が露出していると、内部を流れる湯によって高温となったこの偏心管に接触した者が火傷する恐れがある。そこで、従来、上記偏心管はカバーで覆われている（特許文献１参照）。
【先行技術文献】
【特許文献】
【０００３】
【特許文献１】特許第３１０７３５５号公報
【発明の概要】
【発明が解決しようとする課題】
【０００４】
しかし、上記従来のカバーは、弾性脚によって偏心管に係止しているのみであり、弾性脚が比較的変形し易いものであると、このカバーが何かのはずみで偏心管から外れ、偏心管が露出し、火傷の防止が不完全となる恐れがある。逆に、弾性脚が比較的変形し難いものであると、このカバーを偏心管に取り付けるのに大きな力が必要となり、装着性が低下する。
【０００５】
本発明は上述の事柄に留意してなされたもので、その目的は、構造がシンプルでありながら、着脱性及び安全性に優れた偏心管カバー及びこれを備えた湯水混合水栓を提供することにある。
【課題を解決するための手段】
【０００６】
上記目的を達成するために、本発明に係る偏心管カバーは、中空で下方が開放された偏心管カバーであって、前面壁には下向きに開いたスナップフィット部が設けられ、背面壁には、横向きに突出するフック部と、該背面壁の下端かつ該フック部の先側から該フック部の上側まで延びる切り欠き部とが設けられている（請求項１）。
【０００７】
一方、上記目的を達成するために、本発明に係る湯水混合水栓は、請求項１に記載の偏心管カバーを具備している（請求項２）。
【発明の効果】
【０００８】
本願発明では、構造がシンプルでありながら、着脱性及び安全性に優れた偏心管カバー及びこれを備えた湯水混合水栓が得られる。
【０００９】
すなわち、本願の各請求項に係る発明の偏心管カバーでは、フック部を係止させる操作とスナップフィット部を係止させる操作とを行うだけで装着が完了するのであり、その装着性を高めることができる。しかも、フック部が係止する方向と、スナップフィット部が係止する方向とは相違するので、偏心管カバーに対してどのような方向から力が加わっても、フック部の係止とスナップフィット部の係止とが一気に解除されるということはなく、それだけ安全性を高めることができる。さらに、本発明の偏心管カバーに設けるスナップフィット部及びフック部はともに簡易な形状でよく、構造のシンプル化を図ることができる。
【図面の簡単な説明】
【００１０】
【図１】（Ａ）及び（Ｂ）は、本発明の一実施の形態に係る偏心管カバーの構成を概略的に示す正面側からの斜視図及び背面側からの斜視図である。
【図２】（Ａ）〜（Ｈ）は前記偏心管カバーの構成を概略的に示す図であって、（Ａ）は平面図、（Ｂ）は正面図、（Ｃ）は（Ａ）のＣ−Ｃ線切断断面図、（Ｄ）は（Ｂ）のＤ−Ｄ線切断断面図、（Ｅ）は底面図、（Ｆ）は背面図、（Ｇ）は右側面図、（Ｈ）は左側面図である。
【図３】（Ａ）〜（Ｊ）は前記偏心管カバーを備えた湯水混合水栓の構成を概略的に示す図であって、（Ａ）は平面図、（Ｂ）は左側面図、（Ｃ）は正面図、（Ｄ）は右側面図、（Ｅ）は背面図、（Ｆ）は底面図、（Ｇ）は左上からの斜視図、（Ｈ）は右上からの斜視図、（Ｉ）は左下からの斜視図、（Ｊ）は右下からの斜視図である。
【図４】（Ａ）〜（Ｄ）は、前記偏心管カバーの装着方法を概略的に示す説明図である。
【発明を実施するための形態】
【００１１】
本発明の実施の形態について図面を参照しながら以下に説明する。
【００１２】
図１（Ａ）及び（Ｂ）、図２（Ａ）〜（Ｈ）に示す偏心管カバー１は、湯水混合水栓２に繋がる二つの偏心管３のうち、その一次側（上流側）に給湯配管（図示していない）が接続される偏心管３を覆うためのものである（図３（Ａ）〜（Ｊ）参照）。
【００１３】
具体的には、この偏心管カバー１は、中空で下方が開放された略箱状を呈し、前面壁４には下向きに開いたスナップフィット部５が設けられ、背面壁６には、下端において横向きに突出するフック部７と、背面壁６の下端かつフック部７の先側からフック部７の上側まで延びる切り欠き部８とが設けられている。
【００１４】
本例の前面壁４は、前方に突出する突出部４Ａ，４Ｂを左右に有し、このうちの一方の突出部４Ｂの前面にスナップフィット部５が設けられている。そして、スナップフィット部５は、下向きに開放されたＣ字状（優弧状）に形成されており、上部全体は前面壁４（突出部４Ｂ）の上縁に一体化されている一方、左右の係止部９は前面壁４における他の部分から離間して弾性変形し易くなるように構成されている。
【００１５】
本例の背面壁６において、突出部４Ａの背面側に相当する部分は他の部分よりも後方に突出しており、この突出した部分にフック部７が設けられている。
【００１６】
上記の構成からなる偏心管カバー１によって偏心管３を覆うには、図４（Ａ）〜（Ｄ）に示す手順を踏めばよい。なお、図４（Ａ）〜（Ｄ）では、偏心管カバー１及び偏心管３の構成を極めて簡略化して示している。
【００１７】
すなわち、まず、図４（Ａ）に示すように、偏心管３の上流部３Ａ（この上流部は、偏心管３の一部であってもよいし、偏心管３の上流側に接続される配管等の部材の一部であってもよい）に対して偏心管カバー１を側方（ここでの側方は、偏心管３の上流部の軸方向に対して略垂直な方向を指し、前方及び後方を除く意味で用いており、例えば上方や下方であってもよい）から接近させ、切り欠き部８の内外にわたって偏心管３の上流部３Ａが延びる状態にする（図４（Ｂ）参照）。
【００１８】
続いて、図４（Ｂ）及び図４（Ｃ）に示すように、偏心管３の上流部３Ａが切り欠き部８の奥側（図１（Ｂ）に示す状態におけるフック部７の直上側）に位置するように偏心管カバー１をスライドさせる。これにより、フック部７が偏心管３の上流部３Ａに係止した状態となる。
【００１９】
さらに、偏心管３の上流部３Ａを切り欠き部８の周縁に当接させながら（図４（Ｃ）に示す例では上側に引き上げながら）偏心管カバー１を倒すと（偏心管３の上流部の軸回りに回動させると）、スナップフィット部５が偏心管３の下流部３Ｂ（この下流部は、偏心管３の一部であってもよいし、偏心管３の下流側に接続される湯水混合水栓１等の部材の一部であってもよい）に係止するのであり、これにより、偏心管カバー１の装着は完了する（図４（Ｄ）参照）。なお、偏心管カバー１を取り外したい場合は、上記の逆の手順を行えばよい。
【００２０】
上記のように構成された本例の偏心管カバー１では、フック部７を係止させる操作とスナップフィット部５を係止させる操作とを行うだけで装着が完了するのであり、その装着性を高めることができる。しかも、偏心管３の上流部３Ａに対してフック部７が係止する方向と、偏心管３の下流部３Ｂに対してスナップフィット部５が係止する方向とは相違するので、偏心管カバー１に対してどのような方向から力が加わっても、フック部７の係止とスナップフィット部５の係止とが一気に解除されるということはなく、それだけ安全性を高めることができる。さらに、本例の偏心管カバー１に設けるスナップフィット部５及びフック部７はともに簡易な形状でよく、構造のシンプル化を図ることができる。
【００２１】
なお、本発明は、上記の実施の形態に何ら限定されず、本発明の要旨を逸脱しない範囲において種々に変形して実施し得ることは勿論である。例えば、以下のような変形例を挙げることができる。
【００２２】
上記実施の形態では、偏心管３に流量調整用の操作部１０（図３（Ｃ）参照）が設けられていることから、この操作部１０を露出させるための開口１１を前面壁４の突出部４Ａに設けているが（図１（Ａ）参照）、この開口１１の位置や形状等は操作部１０の構成に応じて適宜変更可能である。
【００２３】
上記実施の形態では、スナップフィット部５とフック部７とは正面視において左右方向に離れ、フック部７はこの左右方向においてスナップフィット部５に向かって突出しているが、これに限らず、フック部７がスナップフィット部５から離れる方向に向かって突出していてもよい。
【００２４】
上記実施の形態では、フック部７を偏心管３の上流部３Ａに係止させ、スナップフィット部５を偏心管３の下流部３Ｂに係止させているが、これに限らず、例えばフック部７を偏心管３の下流部３Ｂに係止させ、スナップフィット部５を偏心管３の上流部３Ａに係止させるようにしてもよい。
【００２５】
上記実施の形態では、湯水混合水栓２に繋がる二つの偏心管３のうち、その一次側（上流側）に給湯配管（図示していない）が接続される偏心管３を覆うために偏心管カバー１を用いているが、その一次側に給水配管が接続される偏心管３を覆うために偏心管カバー１を用いるようにしてもよい。
【００２６】
なお、上記変形例どうしを適宜組み合わせてもよいことはいうまでもない。
【符号の説明】
【００２７】
１    偏心管カバー
２    湯水混合水栓
３    偏心管
３Ａ  上流部
３Ｂ  下流部
４    前面壁
４Ａ  突出部
４Ｂ  突出部
５    スナップフィット部
６    背面壁
７    フック部
８    切り欠き部
９    係止部
１０    操作部
１１    開口
【図１】
2019112838.tif 000003
【図２】
2019112838.tif 000004
【図３】
2019112838.tif 000005
【図４】
2019112838.tif 000006